(57)【要約】【課題】ケース本体の開口部を蓋で閉塞する際に、ケース本体と蓋との摺動によって生じた異物が発電要素に接触することを抑制すること。【解決手段】二次電池１０のケース本体１３は、底壁１３ｂと底壁１３ｂの周縁部から立設する一対の長側壁１３ｃ及び一対の短側壁１３ｄとを有する。ケース本体１３内に電極組立体１２が収容され、ケース本体１３の開口部１３ａは蓋１４によって閉塞される。絶縁カバー３０は、立設方向において電極組立体１２と蓋１４との間に位置する。絶縁カバー３０は、ケース本体１３内に収容されていない状態において、立設方向からの平面視でケース本体１３の内形形状より大きい。絶縁カバー３０は、ケース本体１３内に収容されている状態において、一対の長側壁１３ｃ及び一対の短側壁１３ｄと対向する対向縁部を外周全体に有する。絶縁カバー３０の対向縁部の全体が、一対の長側壁１３ｃ及び一対の短側壁１３ｄに当接する。【選択図】図１
2020177844.tif 000002
【特許請求の範囲】
【請求項１】
底壁及び前記底壁の周縁部から立設する側壁を有するとともに電極組立体を収容するケース本体と、前記ケース本体の開口部を閉塞する蓋と、前記底壁からの前記側壁の立設方向において前記電極組立体と前記蓋との間に位置する絶縁カバーと、を備える蓄電装置であって、
前記絶縁カバーは、
前記ケース本体内に収容されていない状態において、前記立設方向からの平面視で前記ケース本体の内形形状より大きいものであり、
前記ケース本体内に収容されている状態において、前記側壁と対向する対向縁部を前記立設方向に直交する方向における前記絶縁カバーの外周全体に備えるとともに、前記対向縁部の全体が前記側壁に当接することを特徴とする蓄電装置。
【請求項２】
前記絶縁カバーは、前記側壁に対向しない非対向縁部と、前記非対向縁部に沿う落下規制部と、を備える請求項１に記載の蓄電装置。
【請求項３】
底壁及び前記底壁の周縁部から立設する側壁を有するとともに電極組立体を収容するケース本体と、前記ケース本体の開口部を閉塞する蓋と、前記底壁からの前記側壁の立設方向において前記電極組立体と前記蓋との間に位置する絶縁カバーと、を備える蓄電装置の製造方法であって、
前記絶縁カバーは、前記ケース本体内に挿入されていない状態では前記立設方向からの平面視で前記ケース本体の内形形状より大きいものであり、
前記蓋によって前記開口部を閉塞する前に、前記開口部から前記立設方向の前記底壁側に向けて前記絶縁カバーを圧入することにより、前記立設方向に直交する方向において前記側壁と対向する前記絶縁カバーの対向縁部の全体が前記側壁に当接するように、前記絶縁カバーを前記ケース本体に収容し、
前記ケース本体への前記絶縁カバーの収容後に前記蓋によって前記開口部を閉塞することを特徴とする蓄電装置の製造方法。
【請求項４】
底壁及び前記底壁の周縁部から立設する側壁を有するとともに電極組立体を収容するケース本体と、前記ケース本体の開口部を閉塞する蓋と、前記底壁からの前記側壁の立設方向において前記電極組立体と前記蓋との間に位置する絶縁カバーと、を備える蓄電装置の製造方法であって、
前記蓋によって前記開口部が閉塞された状態での前記ケース本体の内形形状を基準内形形状とするとき、
前記絶縁カバーは、前記ケース本体内に挿入されていない状態では前記立設方向からの平面視で前記基準内形形状より大きいものであり、
前記蓋によって前記開口部を閉塞する前に前記ケース本体を加熱することによって、前記立設方向からの平面視で前記内形形状を前記絶縁カバーより大きくし、
前記立設方向からの平面視で前記内形形状が前記絶縁カバーより大きくなった状態で、前記開口部から前記絶縁カバーを前記ケース本体に収容し、
前記ケース本体への前記絶縁カバーの収容後に前記ケース本体を冷却することにより、前記立設方向からの平面視で前記内形形状を前記基準内形形状と同じ大きさにし、
前記立設方向からの平面視で前記内形形状が前記基準内形形状と同じ大きさとなった状態で、前記蓋によって前記開口部を閉塞することを特徴とする蓄電装置の製造方法。
【発明の詳細な説明】
【技術分野】
【０００１】
本発明は、蓄電装置及び蓄電装置の製造方法に関する。
【背景技術】
【０００２】
従来、蓄電装置は、電極組立体を収容する金属製のケース本体と、ケース本体の開口部を閉塞する金属製の蓋と、を備える。ケース本体は、底壁と、底壁の周縁から立設した側壁と、を有する。こうした蓄電装置においては、例えば特許文献１に記載のように、ケース本体における開口部を蓋で閉塞した状態で、ケース本体の開口部の周縁部と蓋の周縁部とを溶接することにより、蓋がケース本体に組み付けられる。
【０００３】
また、特許文献１に記載の蓄電装置の蓋は、平面視での全体形状が長方形状であるとともに、ケース本体の開口部が蓋によって閉塞された状態で、ケース本体内に位置する嵌合凸部を有している。この嵌合凸部は、蓋の長手方向両端部にて、蓋の長手方向外側のケース本体の側壁と蓋の短手方向両側の側壁との間に間隙を有する構成である。特許文献１に記載の蓄電装置では、ケース本体における底壁から側壁が立設する方向である立設方向において、底壁側から上記の間隙を覆う位置にダスト受けを設けている。特許文献１に記載の蓄電装置では、ケース本体の開口部の周縁部と蓋の周縁部との溶接を行う際に生じたダストが、溶接部位から蓋の嵌合凸部とケース本体の側壁との間の間隙に入り込んだとしても、ダスト受けによってダストを収容することでダストが電極組立体等の発電要素に接触することを抑制できる。
【先行技術文献】
【特許文献】
【０００４】
【特許文献１】特開２００９−２５９４５１号公報
【発明の概要】
【発明が解決しようとする課題】
【０００５】
ところで、ケース本体の開口部を蓋で閉塞する際には、ケース本体と蓋とが互いに摺動することによって、ケース本体や蓋が削れて異物が生じるおそれがある。ケース本体と蓋との摺動は、蓋の形状に因らずケース本体の開口部全周で生じうる。そのため、特許文献１に記載の蓄電装置のように、ケース本体の開口部全周のうち、一部の箇所に対応させてダスト受けを設けるものだと、異物の生じた場所によってはダスト受けによって異物を収容できず、異物が発電要素に接触してしまうおそれがある。
【０００６】
本発明は、上記課題を解決するためになされたものであり、その目的は、ケース本体の開口部を蓋で閉塞する際に、ケース本体と蓋との摺動によって生じた異物が発電要素に接触することを抑制できる蓄電装置及び蓄電装置の製造方法を提供することにある。
【課題を解決するための手段】
【０００７】
上記課題を解決する蓄電装置は、底壁及び前記底壁の周縁部から立設する側壁を有するとともに電極組立体を収容するケース本体と、前記ケース本体の開口部を閉塞する蓋と、前記底壁からの前記側壁の立設方向において前記電極組立体と前記蓋との間に位置する絶縁カバーと、を備える蓄電装置であって、前記絶縁カバーは、前記ケース本体内に収容されていない状態において、前記立設方向からの平面視で前記ケース本体の内形形状より大きいものであり、前記ケース本体内に収容されている状態において、前記側壁と対向する対向縁部を前記立設方向に直交する方向における前記絶縁カバーの外周全体に備えるとともに、前記対向縁部の全体が前記側壁に当接することを特徴とする。
【０００８】
上記構成によれば、絶縁カバーの外周全体に位置する対向縁部の全体がケース本体に当接している。そのため、ケース本体の開口部の全周のうち、どの箇所でケース本体と蓋との摺動が生じても、ケース本体や蓋が削れて生じた異物を絶縁カバーによって受け止めることができる。絶縁カバーは、立設方向において電極組立体と蓋との間に位置している。すなわち、蓋によってケース本体の開口部が閉塞される前では、立設方向においてケース本体の開口部と電極組立体との間に絶縁カバーが位置している。そのため、絶縁カバーによって異物を受け止めることによって、異物が電極組立体にまで達することが抑制される。したがって、ケース本体の開口部を蓋で閉塞する際に、ケース本体と蓋との摺動によって生じた異物が発電要素に接触することを抑制できる。
【０００９】
蓄電装置において、前記絶縁カバーは、前記側壁に対向しない非対向縁部と、前記非対向縁部に沿う落下規制部と、を備えることが好ましい。
絶縁カバーによって受け止められた異物は、絶縁カバー上を移動して、絶縁カバーの非対向縁部にまで達するおそれがある。上記構成によれば、落下規制部によって絶縁カバーの非対向縁部からの異物の落下を規制できる。したがって、異物が発電要素に接触することをさらに抑制できる。
【００１０】
上記課題を解決する蓄電装置の製造方法は、底壁及び前記底壁の周縁部から立設する側壁を有するとともに電極組立体を収容するケース本体と、前記ケース本体の開口部を閉塞する蓋と、前記底壁からの前記側壁の立設方向において前記電極組立体と前記蓋との間に位置する絶縁カバーと、を備える蓄電装置の製造方法であって、前記絶縁カバーは、前記ケース本体内に挿入されていない状態では前記立設方向からの平面視で前記ケース本体の内形形状より大きいものであり、前記蓋によって前記開口部を閉塞する前に、前記開口部から前記立設方向の前記底壁側に向けて前記絶縁カバーを圧入することにより、前記立設方向に直交する方向において前記側壁と対向する前記絶縁カバーの対向縁部の全体が前記側壁に当接するように、前記絶縁カバーを前記ケース本体に収容し、前記ケース本体への前記絶縁カバーの収容後に前記蓋によって前記開口部を閉塞することを特徴とする。
【００１１】
また、上記課題を解決する蓄電装置の製造方法は、底壁及び前記底壁の周縁部から立設する側壁を有するとともに電極組立体を収容するケース本体と、前記ケース本体の開口部を閉塞する蓋と、前記底壁からの前記側壁の立設方向において前記電極組立体と前記蓋との間に位置する絶縁カバーと、を備える蓄電装置の製造方法であって、前記蓋によって前記開口部が閉塞された状態での前記ケース本体の内形形状を基準内形形状とするとき、前記絶縁カバーは、前記ケース本体内に挿入されていない状態では前記立設方向からの平面視で前記基準内形形状より大きいものであり、前記蓋によって前記開口部を閉塞する前に前記ケース本体を加熱することによって、前記立設方向からの平面視で前記内形形状を前記絶縁カバーより大きくし、前記立設方向からの平面視で前記内形形状が前記絶縁カバーより大きくなった状態で、前記開口部から前記絶縁カバーを前記ケース本体に収容し、前記ケース本体への前記絶縁カバーの収容後に前記ケース本体を冷却することにより、前記立設方向からの平面視で前記内形形状を前記基準内形形状と同じ大きさにし、前記立設方向からの平面視で前記内形形状が前記基準内形形状と同じ大きさとなった状態で、前記蓋によって前記開口部を閉塞することを特徴とする。
【００１２】
上記の各方法によれば、ケース本体に収容された絶縁カバーでは、絶縁カバーの外周全体に位置する対向縁部の全体がケース本体に当接するようになる。そのため、蓋によってケース本体の開口部を閉塞する際に、ケース本体の開口部の全周のうち、どの箇所でケース本体と蓋との摺動が生じても、ケース本体や蓋が削れて生じた異物を絶縁カバーによって受け止めることができる。ケース本体に収容された絶縁カバーは、立設方向において電極組立体と蓋との間に位置する。すなわち、蓋によってケース本体の開口部が閉塞される前では、立設方向においてケース本体の開口部と電極組立体との間に絶縁カバーが位置する。そのため、絶縁カバーによって異物を受け止めることによって、異物が電極組立体にまで達することが抑制される。したがって、ケース本体の開口部を蓋で閉塞する際に、ケース本体と蓋との摺動によって生じた異物が発電要素に接触することを抑制できる。
【発明の効果】
【００１３】
この発明によれば、ケース本体の開口部を蓋で閉塞する際に、ケース本体と蓋との摺動によって生じた異物が発電要素に接触することを抑制できる。
【図面の簡単な説明】
【００１４】
【図１】実施形態の二次電池の分解斜視図。
【図２】電極組立体の構成を示す斜視図。
【図３】二次電池の断面図。
【図４】二次電池の断面図。
【図５】絶縁カバーの上面図。
【図６】絶縁カバーをケース本体に挿入する前の状態を示す断面図。
【図７】絶縁カバーをケース本体に挿入する前の状態を示す断面図。
【図８】別の形態における二次電池の製造工程を示す図。
【図９】別の形態において絶縁カバーをケース本体に挿入する前の状態を示す断面図。
【図１０】別の形態において絶縁カバーをケース本体に挿入した後の状態を示す断面図。
【発明を実施するための形態】
【００１５】
以下、蓄電装置を二次電池に具体化するとともに、蓄電装置の製造方法を二次電池の製造方法に具体化した実施形態について、図１〜図１０にしたがって説明する。
図１に示すように、蓄電装置としての二次電池１０は、四角箱状のケース１１を備えている。二次電池１０は、ケース１１に収容された電極組立体１２を備えている。ケース１１は、直方体状のケース本体１３と、ケース本体１３に組み付いてケース本体１３の開口部１３ａを閉塞する平面視で矩形状の蓋１４と、を有している。ケース１１を構成するケース本体１３と蓋１４とは、何れも金属製（例えば、ステンレスやアルミニウム）である。また、本実施形態の二次電池１０は、その外観が角型をなす角型電池である。また、本実施形態の二次電池１０は、リチウムイオン二次電池である。
【００１６】
図２に示すように、電極組立体１２は、シート状の複数の正極電極２０と、シート状の複数の負極電極２１と、シート状の複数のセパレータ２２とを備えている。電極組立体１２は、正極電極２０と負極電極２１との間にセパレータ２２を介在させることにより、セパレータ２２によって正極電極２０と負極電極２１とが絶縁された状態で積層した層状構造をなしている。
【００１７】
正極電極２０は、シート状の正極金属箔（例えばアルミニウム箔）２３と、正極金属箔２３の両面に存在する正極活物質層２４とを有している。正極電極２０は、一対の長辺に沿う縁部のうち一方の縁部にタブ側縁部２０ａを備えている。正極電極２０は、タブ側縁部２０ａの一部から突出したタブとしての正極タブ２５を有している。正極タブ２５は、正極金属箔２３そのもので構成されている。
【００１８】
負極電極２１は、シート状の負極金属箔（例えば銅箔）２６と、負極金属箔２６の両面に存在する負極活物質層２７とを有している。負極電極２１は、一対の長辺に沿う縁部のうち一方の縁部にタブ側縁部２１ａを備えている。負極電極２１は、タブ側縁部２１ａの一部から突出したタブとしての負極タブ２８を有している。負極タブ２８は、負極金属箔２６そのもので構成されている。なお、負極電極２１及びセパレータ２２は正極電極２０よりも大きい。そのため、正極電極２０、負極電極２１、及びセパレータ２２を積層した状態では、負極電極２１及びセパレータ２２のすべての縁部が、正極電極２０のすべての縁部からはみ出して位置する。複数の正極タブ２５及び複数の負極タブ２８は、正極電極２０及び負極電極２１が積層された状態で、正極タブ２５と負極タブ２８とが重ならない位置にそれぞれ存在する。正極電極２０、負極電極２１、及びセパレータ２２が積層された方向が電極組立体１２の積層方向である。
【００１９】
図３に示すように、電極組立体１２は、タブ側端面１２ａを備えている。タブ側端面１２ａは、図２に示す負極電極２１のタブ側縁部２１ａ、及びセパレータ２２の縁部を寄せ集めて形成されている。また、電極組立体１２は、タブ側端面１２ａから突出した負極タブ群２８ａを有している。負極タブ群２８ａは、全ての負極タブ２８を積層方向の一端寄りに寄せ集め、積層して構成されている。なお、図３では図示を省略しているが、電極組立体１２は正極タブ群２５ａも有している。正極タブ群２５ａは、全ての正極タブ２５を積層方向の一端寄りに寄せ集め、積層して構成されている。そして、正極タブ群２５ａは、負極タブ群２８ａと同様に、電極組立体１２のタブ側端面１２ａから突出するとともに、全ての正極タブ２５を積層方向の一端寄りに寄せ集め、積層して構成されている。電極組立体１２がケース本体１３に収容された状態では、正極タブ群２５ａ及び負極タブ群２８ａがそれぞれで湾曲している。
【００２０】
図１に示すように、二次電池１０は、ケース本体１３と電極組立体１２との間を絶縁する絶縁フィルムＦを備えている。絶縁フィルムＦは、樹脂で構成されている。絶縁フィルムＦは、電極組立体１２のタブ側端面１２ａを除く周囲を覆うように設けられている。また、ケース本体１３は、矩形板状の底壁１３ｂと、底壁１３ｂの周縁部のうち、一対の長側縁部から立設された側壁としての長側壁１３ｃと、底壁１３ｂの周縁部のうち一対の短側縁部から立設された側壁としての短側壁１３ｄと、を有している。底壁１３ｂから長側壁１３ｃ及び短側壁１３ｄが立設する方向において、一対の長側壁１３ｃ及び一対の短側壁１３ｄの先端に位置する端面である先端面１３ｅは、ケース本体１３が開口する端面に沿って延びている。以下、底壁１３ｂから長側壁１３ｃ及び短側壁１３ｄが立設する方向を立設方向という。また、積層方向及び立設方向の両方向と直交する方向を幅方向という。
【００２１】
ケース本体１３の開口部１３ａは、一対の長側壁１３ｃ及び一対の短側壁１３ｄの先端部分によって区画形成されている。ケース本体１３の開口部１３ａは、立設方向からの平面視で矩形状をなしている。また、一対の長側壁１３ｃの内面及び一対の短側壁１３ｄの内面に沿う形状をケース本体１３の内形形状という。ケース本体１３の内形形状は、立設方向からの平面視にて、一対の長側壁１３ｃ及び一対の短側壁１３ｄで区画される矩形状であるとともに、開口部１３ａと同形状である。すなわち、ケース本体１３は、立設方向からの平面視にて、上記内径形状と一致する内部空間Ｓを有する。ケース本体１３の内部空間Ｓは、底壁１３ｂ、一対の長側壁１３ｃ、及び一対の短側壁１３ｄによって区画されている。
【００２２】
図３及び図４に示すように、蓋１４は、矩形板状の蓋本体部１６ａと、蓋本体部１６ａよりも外形の小さい矩形板状の蓋インロー部１６ｂとを有する。なお、インローとは、嵌め合いにより位置決めを行う構造を示し、蓋インロー部１６ｂは、蓋本体部１６ａよりも外形が小さい。また、ケース１１において、蓋インロー部１６ｂはケース本体１３の内部側である下側を向き、ケース本体１３の開口部１３ａ内に嵌め合わされる凸形状である。なお、本実施形態の蓋インロー部１６ｂは矩形板状をなすが、内側に肉の無い、いわゆる凸条により形成されていてもよい。ケース１１において、蓋本体部１６ａはケース本体１３の外側に位置しているとともに、蓋インロー部１６ｂはケース本体１３の内側に位置している。以下では、蓋１４のうち、蓋インロー部１６ｂのケース１１の内側に臨む面を蓋１４の下面１４ａといい、蓋本体部１６ａのケース１１の外側に臨む面を蓋１４の上面１４ｂという。また、蓋本体部１６ａにおいて、蓋１４の上面１４ｂに相当する面とは反対側の面であって、蓋インロー部１６ｂの周りで蓋１４の上面１４ｂの延びる方向と同方向に延びる面を蓋本体部１６ａの下面１６ｅという。ケース本体１３の一対の長側壁１３ｃ及び一対の短側壁１３ｄに対向する蓋インロー部１６ｂの面を蓋インロー部１６ｂの外周面１６ｄという。蓋インロー部１６ｂの外周面１６ｄは、立設方向にて蓋本体部１６ａの下面１６ｅから離間する方向に延びている。
【００２３】
図１に示すように、二次電池１０は、注液孔１４ｈ及び圧力開放弁１４ｖを蓋１４に備える。注液孔１４ｈ及び圧力開放弁１４ｖは、蓋１４の長手方向の中央部分に位置している。注液孔１４ｈは、蓋１４の上面１４ｂから下面１４ａまで蓋１４を貫通しており、封止部材１４ｇによって封止されている。注液孔１４ｈを介してケース１１内部への電解液の注液が行われた後、注液孔１４ｈが封止部材１４ｇによって封止される。また、圧力開放弁１４ｖは、ケース１１の内部でガスが発生した際、ケース１１の内部の圧力が上昇し過ぎないように、ケース１１の内部の圧力が所定の圧力である開放圧に達した場合に開裂するものである。圧力開放弁１４ｖが開裂すると、ケース１１の内外が連通することにより、ケース１１の内部の圧力がケース１１の外部に開放される。
【００２４】
蓋１４はケース本体１３の開口部１３ａを閉塞した状態でケース本体１３に組み付けられている。ケース１１において、ケース本体１３の長側壁１３ｃ及び短側壁１３ｄの先端面１３ｅ上に蓋１４が載置されている。また、ケース１１において、蓋本体部１６ａの下面１６ｅとケース本体１３の長側壁１３ｃ及び短側壁１３ｄの先端面１３ｅとが接触している。ケース本体１３と蓋１４とは、溶接（例えばレーザ溶接）によって接合されている。ケース本体１３における開口部１３ａの周縁部に位置する一対の長側壁１３ｃ及び一対の短側壁１３ｄの先端部分と、これら先端部分と接する蓋本体部１６ａの周縁部と、が溶接されている。
【００２５】
図１、図３、及び図４に示すように、二次電池１０は、電極組立体１２と電気的に接続される電極端子１５を備えている。電極組立体１２は、電極端子１５を介して外部機器と電気的に接続される。電極端子１５は、蓋１４に固定されている。電極端子１５は、引出端子１９ａを備えている。引出端子１９ａの一部は、蓋１４の上面１４ｂよりも外側に突出している。引出端子１９ａは、正極電極２０に対応する正極引出端子と、負極電極２１に対応する負極引出端子と、を備えている。
【００２６】
図４に示すように、電極端子１５は、導電部材１７を備えている。導電部材１７は、正極電極２０に対応する正極導電部材と、負極電極２１に対応する負極導電部材と、を備えている。導電部材１７は、互いに同一の極性を有する引出端子１９ａと接合されている。また、導電部材１７は、互いに同一の極性を有する正極タブ群２５ａ又は負極タブ群２８ａと接合されている。これにより、一方の電極端子１５は正極タブ群２５ａと電気的に接続され、他方の電極端子１５は負極タブ群２８ａと電気的に接続されている。そして、一方の電極端子１５は、導電部材１７及び正極タブ群２５ａを介して電極組立体１２と電気的に接続されている。他方の電極端子１５は、導電部材１７及び負極タブ群２８ａを介して電極組立体１２と電気的に接続されている。各導電部材１７は、立設方向において蓋１４の下面１４ａと電極組立体１２のタブ側端面１２ａとの間に配置されている。
【００２７】
一対の電極端子１５は、端子接続部材１９ｂと外部接続端子１９ｃとをそれぞれ備えている。端子接続部材１９ｂは、蓋１４の上面１４ｂで引出端子１９ａと電気的に接続されている。外部接続端子１９ｃは、蓋１４の外側で端子接続部材１９ｂと電気的に接続されている。電極端子１５は、端子接続部材１９ｂ及び外部接続端子１９ｃを蓋１４から絶縁する外側絶縁部材１９ｄを蓋１４の上面１４ｂに備えている。
【００２８】
電極端子１５は、導電部材１７を支持するホルダ１８ａ，１８ｂを備えている。ホルダ１８ａ，１８ｂは樹脂製であり、ケース本体１３の内側における引出端子１９ａの端部を覆う四角箱状である。ホルダ１８ａ，１８ｂのうち、負極側の導電部材１７を支持するホルダ１８ｂは、内部に電流遮断装置を有している。電流遮断装置は、立設方向において負極側の引出端子１９ａと導電部材１７との間に位置している。電流遮断装置が作動していないときには、電流遮断装置を介して負極側での引出端子１９ａと導電部材１７とが接続されることにより、電流遮断装置が負極側の通電経路の一部を構成する。二次電池１０のケース１１の内に発生したガスの圧力を受けて電流遮断装置が作動すると、上記の通電経路が遮断される。そして、電極組立体１２及び蓋１４は、正極タブ群２５ａ及び負極タブ群２８ａと一対の電極端子１５とを介して一体化されている。
【００２９】
図１に示すように、二次電池１０は、ケース１１内での立設方向において、電極組立体１２のタブ側端面１２ａと蓋１４の下面１４ａとの間に配置される絶縁カバー３０を備えている。絶縁カバー３０は、樹脂製である。絶縁カバー３０は、第１絶縁カバー３０ａと第２絶縁カバー３０ｂとが組み付けられることにより構成される。第１絶縁カバー３０ａは、電極組立体１２のタブ側端面１２ａと対向する対向面から電極組立体１２寄りに突出した突出部２９を備えている。突出部２９は、蓋１４寄りに凹む係止凹部（図示せず）を備えている。第２絶縁カバー３０ｂは、第１絶縁カバー３０ａに向けて突出した係止突出部４９を備えている。係止突出部４９は、先端部に係止爪４９ａを備えている。係止爪４９ａは、第１絶縁カバー３０ａにおける突出部２９の係止凹部に係止可能である。第１絶縁カバー３０ａにおける突出部２９の係止凹部に第２絶縁カバー３０ｂの係止爪４９ａが係止されることにより、第１絶縁カバー３０ａと第２絶縁カバー３０ｂとが一体に組み付けられている。
【００３０】
第１絶縁カバー３０ａは、板状の第１部位３１と、第１部位３１の幅方向両端に並ぶ第２部位３２と、第１部位３１の長辺方向に延びる一方の長辺に沿って第１部位３１と一対の第２部位３２とを接続する第３部位３３と、を備えている。第１部位３１は、立設方向において蓋１４と対向する上面３１ａを有する。立設方向に直交する方向における第１部位３１の周縁部のうち、積層方向の一方側にあって幅方向に延びる第１部位３１の縁部３１ｂの全体が第３部位３３と繋がっている。
【００３１】
図１及び図５に示すように、第１部位３１は、縁部３１ｂ以外の周縁部として、第１部位３１の幅方向両側において積層方向に延びる一対の縁部３１ｃと、積層方向の他方側にあって一対の縁部３１ｃを繋ぐ縁部３１ｄと、を有する。立設方向に直交する方向における第１部位３１の周縁部は、縁部３１ｂ、一対の縁部３１ｃ、及び縁部３１ｄによって構成されている。第１部位３１は、厚み方向に貫通する注液用孔部３１ｈと、圧力開放弁用孔部３１ｖと、を有する。立設方向において、第１部位３１の注液用孔部３１ｈは蓋１４の注液孔１４ｈと対向しており、第１部位３１の圧力開放弁用孔部３１ｖは蓋１４の圧力開放弁１４ｖと対向している。
【００３２】
第１部位３１は、一対の縁部３１ｃ、縁部３１ｄ、注液用孔部３１ｈの開口縁部、及び圧力開放弁用孔部３１ｖの開口縁部に沿って、上面３１ａから立設方向の蓋１４側に突出する第１リブ３５を有する。第１リブ３５は、第１部位３１における一対の縁部３１ｃ、縁部３１ｄ、注液用孔部３１ｈの開口縁部、及び圧力開放弁用孔部３１ｖの開口縁部の全体に位置する。
【００３３】
図１に示すように、一対の第２部位３２として、幅方向における一方側に位置する負極側第２部位３７と、幅方向における他方側に位置する正極側第２部位４２と、で構成される。負極側第２部位３７は、矩形平板状のタブ絶縁部３８と、タブ絶縁部３８よりも幅方向の一方側に位置する矩形平板状の隣接絶縁部３９と、を有する。正極側第２部位４２は、矩形平板状のタブ絶縁部４３と、タブ絶縁部４３よりも幅方向の他方側に位置する矩形平板状の隣接絶縁部４４と、を有する。タブ絶縁部３８とタブ絶縁部４３とは、第１部位３１よりも立設方向での電極組立体１２側にて第１部位３１と平行に延びており、幅方向にて互いに離間している。また、各タブ絶縁部３８，４３の長縁部に第３部位３３が接続されている。負極側第２部位３７のタブ絶縁部３８と正極側第２部位４２のタブ絶縁部４３との間にて第３部位３３が幅方向に延びることにより、一対のタブ絶縁部３８，４３の間が繋がっている。
【００３４】
図１及び図５に示すように、負極側第２部位３７の隣接絶縁部３９は、立設方向にて蓋１４の下面１４ａと対向する上面３９ａを有している。隣接絶縁部３９の４つの縁部のうち、積層方向の一方側にて幅方向に延びる縁部３９ｂと、幅方向の一方側にて積層方向に延びる縁部３９ｃとは、隣接絶縁部３９の上面３９ａから立設方向の蓋１４側に延びる延設部４０を有する。延設部４０は、負極側第２部位３７の隣接絶縁部３９において、縁部３９ｂの全体と縁部３９ｃの全体とに位置する。この隣接絶縁部３９での縁部３９ｂの延設部４０と縁部３９ｃの延設部４０とは、隣接絶縁部３９の角部で繋がっている。負極側第２部位３７の隣接絶縁部３９は、縁部３９ｃと平行に延びる縁部３９ｄを有する。縁部３９ｄは、縁部３９ｃよりも第１絶縁カバー３０ａの幅方向の内側に位置する。また、隣接絶縁部３９は、厚み方向に貫通するガス孔部３９ｈを有する。立設方向において、隣接絶縁部３９のガス孔部３９ｈはホルダ１８ｂの内部の電流遮断装置と対向している。
【００３５】
負極側第２部位３７は、隣接絶縁部３９の縁部３９ｄ及びガス孔部３９ｈの開口縁部に沿って、隣接絶縁部３９の上面３９ａから立設方向の蓋１４側に突出する負極側第２リブ４１を有する。負極側第２リブ４１は、負極側第２部位３７において、隣接絶縁部３９の縁部３９ｄ及びガス孔部３９ｈの開口縁部の全体に位置する。第１部位３１は、隣接絶縁部３９の縁部３９ｄにおける負極側第２リブ４１の突出方向先端面よりも立設方向における蓋１４側に位置している。そして、隣接絶縁部３９の縁部３９ｄと、第１部位３１の隣接絶縁部３９側の縁部３１ｃとは、幅方向にて隣接している。また、隣接絶縁部３９の縁部３９ｄに位置する負極側第２リブ４１は、積層方向にて縁部３９ｂから離間する側にリブ爪部４１ａを有する。立設方向において、隣接絶縁部３９の上面３９ａからの負極側第２リブ４１の突出方向の先端と第１部位３１との間には、負極側の導電部材１７が配設される。負極側の導電部材１７の側端面に負極側第２リブ４１のリブ爪部４１ａが係合する。また、負極側第２部位３７の隣接絶縁部３９は、縁部３９ｂと平行に延びる縁部３９ｅを有する。隣接絶縁部３９の縁部３９ｅは、縁部３９ｃでの延設部４０の端部と、縁部３９ｄでの負極側第２リブ４１のリブ爪部４１ａとで幅方向にて挟まれている。
【００３６】
正極側第２部位４２の隣接絶縁部４４は、立設方向にて蓋１４の下面１４ａと対向する上面４４ａを有している。隣接絶縁部４４の４つの縁部のうち、積層方向の一方側にて幅方向に延びる縁部４４ｂと、幅方向の一方側にて積層方向に延びる縁部４４ｃとは、隣接絶縁部３９の上面３９ａから立設方向の蓋１４側に延びる延設部４６を有する。延設部４６は、正極側第２部位４２の隣接絶縁部４４において、縁部４４ｂの全体と縁部４４ｃの全体とに位置する。この隣接絶縁部４４での縁部４４ｂの延設部４６と縁部４４ｃの延設部４６とは、隣接絶縁部４４の角部で繋がっている。なお、隣接絶縁部４４の上面４４ａからの延設長さについては、縁部４４ｂでの延設部４６が縁部４４ｃでの延設部４６よりも短い。隣接絶縁部４４の上面４４ａからの延設方向において、縁部４４ｂでの延設部４６の先端面が縁部４４ｃでの延設部４６の先端面よりも立設方向において蓋１４の下面１４ａから離間した位置にある。
【００３７】
幅方向における隣接絶縁部４４における縁部４４ｂの延設部４６と第３部位３３との間では、連結部４５が幅方向に延びている。連結部４５によって、隣接絶縁部４４における縁部４４ｂと第３部位３３とが繋がっている。連結部４５は、立設方向の蓋１４側に延びる延設部４６ｃを有する。連結部４５の延設部４６ｃは、積層方向における一方側の連結部４５の縁部に沿って位置しており、隣接絶縁部４４の縁部４４ｂにおける延設部４６と幅方向で繋がっている。連結部４５の延設部４６ｃと隣接絶縁部４４の縁部４４ｂでの延設部４６とは、延設方向の先端面が面一となっている。
【００３８】
正極側第２部位４２の隣接絶縁部４４は、縁部４４ｃと平行に延びる縁部４４ｄを有する。縁部４４ｄは、縁部４４ｃよりも第１絶縁カバー３０ａの幅方向の内側に位置する。そして、正極側第２部位４２は、隣接絶縁部４４の縁部４４ｄに沿って、隣接絶縁部４４の上面４４ａから立設方向の蓋１４側に突出する正極側第２リブ４７を有する。また、連結部４５も同様に、延設部４６ｃが位置しない側の積層方向の縁部に沿って、立設方向の蓋１４側に突出する正極側第２リブ４７を有する。これら正極側第２リブ４７は、正極側第２部位４２における隣接絶縁部４４の縁部４４ｄ全体と、連結部４５における延設部４６ｃが位置しない側の積層方向の縁部の全体に位置する。第１部位３１は、隣接絶縁部４４の縁部４４ｄにおける正極側第２リブ４７の突出方向先端面よりも立設方向における蓋１４側に位置している。そして、隣接絶縁部４４の縁部４４ｄと第１部位３１の隣接絶縁部４４側の縁部３１ｃとは、幅方向にて連結部４５の寸法分だけ互いに離間している。また、隣接絶縁部４４の縁部４４ｄに位置する正極側第２リブ４７は、積層方向にて縁部４４ｂから離間する側にリブ爪部４７ａを有する。立設方向において、隣接絶縁部４４の上面４４ａからの正極側第２リブ４７の突出方向の先端と第１部位３１との間には、正極側の導電部材１７が配設される。正極側の導電部材１７の側端面に正極側第２リブ４７のリブ爪部４７ａが係合する。また、正極側第２部位４２の隣接絶縁部４４は、縁部４４ｂと平行に延びる縁部４４ｅを有する。隣接絶縁部４４の縁部４４ｅは、縁部４４ｃでの延設部４６の端部と、縁部４４ｄでの正極側第２リブ４７のリブ爪部４７ａとで幅方向にて挟まれている。
【００３９】
図２又は図３に示すように、第１絶縁カバー３０ａの第１部位３１は、立設方向における蓋１４の下面１４ａと導電部材１７との間に位置することにより、蓋１４と導電部材１７とを絶縁している。第１部位３１は導電部材１７に支持されている。負極側第２部位３７のタブ絶縁部３８は、立設方向における電極組立体１２のタブ側端面１２ａと負極タブ群２８ａとの間に設けられている。また、図２及び図３では図示が省略されているが、正極側第２部位４２のタブ絶縁部４３は、立設方向における電極組立体１２のタブ側端面１２ａと正極タブ群２５ａとの間に設けられている。負極側第２部位３７の隣接絶縁部３９は、立設方向においてホルダ１８ｂと電極組立体１２のタブ側端面１２ａとの間に設けられている。正極側第２部位４２の隣接絶縁部４４は、立設方向においてホルダ１８ａと電極組立体１２のタブ側端面１２ａとの間に設けられている。第３部位３３は、正極タブ群２５ａ及び負極タブ群２８ａを積層方向の外側から覆っている。これにより、正極タブ群２５ａ及び負極タブ群２８ａとケース本体１３とが第３部位３３によって絶縁されている。また、ケース１１内において、第１絶縁カバー３０ａの第１部位３１の上面３１ａと蓋１４の下面１４ａとの間には立設方向にて間隙が生じている。本実施形態のケース１１内では、第１絶縁カバー３０ａの第１リブ３５、負極側第２リブ４１、及び正極側第２リブ４７と蓋１４の下面１４ａとの間に立設方向における間隙が生じている。
【００４０】
第２絶縁カバー３０ｂは、幅方向において互いに離間して位置する略矩形平板状の一対の第１部位５１と、一対の第１部位５１を幅方向にて繋ぐ矩形平板状の第２部位５２と、立設方向における電極組立体１２側に向けて延びる矩形平板状の第３部位５３と、を備えている。一対の第１部位５１は、立設方向において蓋１４の下面１４ａと対向する上面５１ａを有する。また、各第１部位５１は、積層方向の一方側にて幅方向に延びる縁部５１ｂと、第２絶縁カバー３０ｂの幅方向の両端外側にて縁部５１ｂの端部から積層方向に延びる縁部５１ｃと、を有する。各第１部位５１は、縁部５１ｃよりも第２絶縁カバー３０ｂの幅方向の内側にて積層方向に延びる縁部５１ｄと、縁部５１ｃ及び縁部５１ｄの積層方向の他方側の端部を繋ぐ縁部５１ｅと、を有する。そして、第２絶縁カバー３０ｂの一対の第１部位５１は、縁部５１ｃ、縁部５１ｄ、縁部５１ｅに沿って、第１部位５１の上面５１ａから立設方向の蓋１４側に突出するリブ５５を有する。各第１部位５１において、縁部５１ｃのリブ５５及び縁部５１ｄのリブ５５と縁部５１ｅのリブ５５とはそれぞれ第１部位５１の角部で繋がっている。
【００４１】
第２絶縁カバー３０ｂにおける第２部位５２の積層方向の寸法は、一対の第１部位５１の積層方向の寸法よりも小さい。第２部位５２は、立設方向において蓋１４の下面１４ａと対向する上面５２ａを有する。また、第２部位５２は、積層方向の一方側にて幅方向に延びる縁部５２ｂと、積層方向の他方側にて幅方向に延びる縁部５２ｅと、を有する。第２部位５２において、幅方向両端部は各第１部位５１と繋がっており、縁部５２ｂは各第１部位５１の縁部５１ｂと繋がっており、縁部５２ｅは第１部位５１の縁部５１ｄと繋がっている。そして、第２部位５２は、縁部５２ｅに沿って、第２部位５２の上面５２ａから立設方向の蓋１４側に突出するリブ５６を有する。第２部位５２の縁部５２ｅでのリブ５６は、各第１部位５１の縁部５１ｄでのリブ５５と繋がっている。また、第２絶縁カバー３０ｂの第３部位５３は、一対の第１部位５１の５１ｂ及び第２部位５２の５２ｂから立設方向に延びている。
【００４２】
図２又は図３に示すように、第２絶縁カバー３０ｂの第１部位５１は、立設方向における蓋１４の下面１４ａと導電部材１７との間に位置することにより、蓋１４と導電部材１７とを絶縁している。第３部位５３は、正極タブ群２５ａ及び負極タブ群２８ａの積層方向外側のうち、第１絶縁カバー３０ａの第３部位３３によって覆われない側を覆っている。正極タブ群２５ａ及び負極タブ群２８ａとケース本体１３とは、第３部位５３によって絶縁されている。ケース１１内において、第２絶縁カバー３０ｂの第１部位５１の上面５１ａ及び第２部位５２の上面５２ａと蓋１４の下面１４ａとの間には立設方向にて間隙が生じている。本実施形態のケース１１内では、第２絶縁カバー３０ｂのリブ５５，５６と蓋１４の下面１４ａとの間に立設方向における間隙が生じている。
【００４３】
図５に示すように、第１絶縁カバー３０ａと第２絶縁カバー３０ｂとが一体に組み付けられた絶縁カバー３０では、第１絶縁カバー３０ａの縁部と第２絶縁カバー３０ｂの縁部とによって、立設方向に直交する方向における絶縁カバー３０の外周縁が構成されている。詳しくは、第１絶縁カバー３０ａの第１部位３１の縁部３１ｂと、隣接絶縁部３９の縁部３９ｂ，３９ｃ，３９ｅと、隣接絶縁部４４の縁部４４ｂ，４４ｃ，４４ｅと、第２絶縁カバー３０ｂにおける一対の第１部位５１の縁部５１ｂと、第２部位５２の縁部５２ｂと、で絶縁カバー３０の外周縁部が構成されている。また、この絶縁カバー３０の外周縁部は、絶縁カバー３０がケース本体１３内に収容されている状態において、ケース本体１３の一対の長側壁１３ｃ及び一対の短側壁１３ｄに対向する。詳しくは、ケース本体１３の一対の長側壁１３ｃのうちの一方の長側壁１３ｃには、第１絶縁カバー３０ａの第１部位３１の縁部３１ｂと、負極側第２部位３７における隣接絶縁部３９の縁部３９ｂと、正極側第２部位４２での隣接絶縁部４４の縁部４４ｂと、が対向する。ケース本体１３の一対の長側壁１３ｃのうちの他方の長側壁１３ｃには、負極側第２部位３７における隣接絶縁部３９の縁部３９ｅと、正極側第２部位４２における隣接絶縁部４４の縁部４４ｅと、第２絶縁カバー３０ｂにおける一対の第１部位５１の縁部５１ｂと、第２部位５２の縁部５２ｂと、が対向する。ケース本体１３の一対の短側壁１３ｄのうちの一方の短側壁１３ｄには、負極側第２部位３７における隣接絶縁部３９の縁部３９ｃが対向する。ケース本体１３の一対の短側壁１３ｄのうちの一方の短側壁１３ｄには、正極側第２部位４２における隣接絶縁部４４の縁部４４ｃが対向する。こうしてケース本体１３の一対の長側壁１３ｃ及び一対の短側壁１３ｄに対向する絶縁カバー３０の外周縁部を以下では対向縁部という。すなわち、絶縁カバー３０は、ケース本体１３内に収容されている状態において、立設方向に直交する方向における絶縁カバー３０の外周全体に対向縁部を有している。
【００４４】
また、第１絶縁カバー３０ａの縁部及び第２絶縁カバー３０ｂの縁部のうち、絶縁カバー３０の上記対向縁部以外の縁部は、ケース本体１３の一対の長側壁１３ｃ及び一対の短側壁１３ｄに対向しない。詳しくは、第１絶縁カバー３０ａでの第１部位３１の一対の縁部３１ｃ及び縁部３１ｄと、負極側第２部位３７での隣接絶縁部３９の縁部３９ｄと、正極側第２部位４２での隣接絶縁部４４の縁部４４ｄと、連結部４５の延設部４６ｃが位置しない側の積層方向の縁部と、はケース本体１３の一対の長側壁１３ｃ及び一対の短側壁１３ｄに対向しない。第１絶縁カバー３０ａでの第１部位３１の注液用孔部３１ｈの開口縁部及び圧力開放弁用孔部３１ｖの開口縁部と、負極側第２部位３７での隣接絶縁部３９のガス孔部３９ｈの開口縁部と、はケース本体１３の一対の長側壁１３ｃ及び一対の短側壁１３ｄに対向しない。第２絶縁カバー３０ｂにおける一対の第１部位５１の縁部５１ｃ，５１ｄ，５１ｅと、第２部位５２の縁部５２ｅと、はケース本体１３の一対の長側壁１３ｃ及び一対の短側壁１３ｄに対向しない。こうしてケース本体１３の一対の長側壁１３ｃ及び一対の短側壁１３ｄに対向しない絶縁カバー３０の縁部を以下では非対向縁部という。絶縁カバー３０の上記非対向縁部の全てには、非対向リブが立設する。すなわち、非対向リブは絶縁カバー３０の上記非対向縁部の全てに沿って位置している。第１絶縁カバー３０ａにおける非対向リブは、第１部位３１の第１リブ３５、負極側第２部位３７での隣接絶縁部３９の負極側第２リブ４１、正極側第２部位４２での隣接絶縁部４４の正極側第２リブ４７、及び連結部４５の正極側第２リブ４７で構成される。第２絶縁カバー３０ｂにおける非対向リブは、第１部位５１のリブ５５及び第２部位５２のリブ５６で構成される。また、第１絶縁カバー３０ａの第１部位３１の上面３１ａと、負極側第２部位３７の隣接絶縁部３９の上面３９ａと、正極側第２部位４２の隣接絶縁部４４の上面４４ａと、第２絶縁カバー３０ｂの一対の第１部位５１の上面５１ａ及び第２部位５２の上面５２ａと、を以下では絶縁カバー３０の上面という。
【００４５】
立設方向からの平面視において、ケース本体１３内に収容される前の絶縁カバー３０の対向縁部に沿う外形形状は、ケース本体１３の内形形状よりも大きい。また、ケース本体１３内に収容された絶縁カバー３０では、対向縁部の全体が対向するケース本体１３の一対の長側壁１３ｃ及び一対の短側壁１３ｄの内面に当接している。立設方向からの平面視において、ケース本体１３内に収容された状態の絶縁カバー３０の外形形状は、ケース本体１３の内形形状と同じ大きさとなる。絶縁カバー３０がケース本体１３内に収容された状態では、立設方向に直交する方向における絶縁カバー３０の外周全体の対向縁部がケース本体１３の内周縁に沿って位置する。
【００４６】
図３及び図４に示すように、ケース本体１３内に収容された絶縁カバー３０は、立設方向に直交する方向における絶縁カバー３０の中央部が中央部周りよりも蓋１４から離間するように、立設方向に向けて全体が撓んでいる。なお、説明の都合上、図３及び図４では絶縁カバー３０の撓みを実際の撓みよりも強調して図示している。
【００４７】
次に、二次電池１０の製造方法について説明する。
二次電池１０の製造工程は、挿入工程、蓋嵌合工程、及び溶接工程を含む。挿入工程では、まずケース本体１３内に開口部１３ａから電極組立体１２を挿入する。ケース本体１３内に挿入される電極組立体１２は、蓋１４、正極タブ群２５ａ、負極タブ群２８ａ、及び一対の電極端子１５と一体化されて組立部材Ｗとなっている。また、電極組立体１２は、図１に示すように、電極組立体１２の一部がケース本体１３内に挿入される。そのため、組立部材Ｗのうち、電極組立体１２の上記一部を除く部分のほか、蓋１４、正極タブ群２５ａ、負極タブ群２８ａ、及び一対の電極端子１５が、ケース本体１３から露出した状態となる。
【００４８】
図６及び図７に示すように、つづいて挿入工程では、第１絶縁カバー３０ａ及び第２絶縁カバー３０ｂを組立部材Ｗに組み付ける。組立部材Ｗへの第１絶縁カバー３０ａ及び第２絶縁カバー３０ｂの組み付けでは、第１絶縁カバー３０ａを積層方向一方側に向けて移動させるとともに、第２絶縁カバー３０ｂを積層方向他方側に向けて移動させる。組立部材Ｗに組み付けられた第１絶縁カバー３０ａでは、第１部位３１が蓋１４の下面１４ａと導電部材１７の上面との間に挿入され、負極側第２部位３７のタブ絶縁部３８が電極組立体１２のタブ側端面１２ａと負極タブ群２８ａとの間に挿入される。なお、図６では図示が省略されているが、正極側第２部位４２のタブ絶縁部４３も同様に、電極組立体１２のタブ側端面１２ａと正極タブ群２５ａとの間に挿入される。また、組立部材Ｗに組み付けられた第２絶縁カバー３０ｂでは、第１部位５１及び第２部位５２が蓋１４の下面１４ａと導電部材１７の上面との間に挿入される。そして、組立部材Ｗに第１絶縁カバー３０ａ及び第２絶縁カバー３０ｂが挿入されると、第２絶縁カバー３０ｂの係止爪４９ａが第１絶縁カバー３０ａの突出部２９の係止凹部に係止される。そして、第１絶縁カバー３０ａ及び第２絶縁カバー３０ｂの組立部材Ｗへの組み付けが完了する。なお、立設方向からの平面視において、ケース本体１３内に挿入されていない絶縁カバー３０の外形形状は、ケース本体１３の内形形状よりも大きい。
【００４９】
挿入工程では、第１絶縁カバー３０ａ及び第２絶縁カバー３０ｂの組立部材Ｗへの組み付け後、電極組立体１２をさらにケース本体１３内に挿入する。このとき、ケース本体１３には、組立部材Ｗにおける電極組立体１２、正極タブ群２５ａ、及び負極タブ群２８ａが挿入されるとともに、絶縁カバー３０が挿入される。ケース本体１３への絶縁カバー３０の挿入の際には、ケース本体１３の開口部１３ａから立設方向の底壁１３ｂ側に向けて絶縁カバー３０を圧入する。そのため、ケース本体１３に収容された絶縁カバー３０は、立設方向に直交する方向において、絶縁カバー３０の対向縁部の全体がケース本体１３の一対の長側壁１３ｃ及び一対の短側壁１３ｄと当接するようになる。
【００５０】
また、絶縁カバー３０がケース本体１３内に圧入されることで、第１絶縁カバー３０ａの縁部及び第２絶縁カバー３０ｂの縁部のうち、絶縁カバー３０の非対向縁部を構成する一部の縁部同士が密着する。詳しくは、第１絶縁カバー３０ａにおける第１部位３１の縁部３１ｄと、第２絶縁カバー３０ｂの一対の第１部位５１の縁部５１ｄ，５１ｅ及び第２部位５２の縁部５２ｅと、が密着する。負極側第２部位３７における隣接絶縁部３９の縁部３９ｄと、第２絶縁カバー３０ｂの第１部位５１の縁部５１ｃと、が密着する。正極側第２部位４２における隣接絶縁部４４の縁部４４ｄと、第２絶縁カバー３０ｂの第１部位５１の縁部５１ｃと、が密着する。こうした絶縁カバー３０の非対向縁部の密着によって、絶縁カバー３０の対向縁部が立設方向に直交する方向にて絶縁カバー３０の外周全体で繋がる。また、ケース本体１３に収容された絶縁カバー３０は、立設方向に撓んだ状態となる。撓んだ絶縁カバー３０では、立設方向に直交する方向における絶縁カバー３０の中央部よりも絶縁カバー３０の対向縁部が立設方向にて蓋１４に近接した位置となる。
【００５１】
蓋嵌合工程では、電極組立体１２が収容されたケース本体１３の開口部１３ａに蓋１４を立設方向にて近づけて、ケース本体１３の開口部１３ａに蓋１４の蓋インロー部１６ｂを嵌合させる。ケース本体１３内に蓋インロー部１６ｂ全体が収容され、ケース本体１３の一対の長側壁１３ｃの先端面１３ｅ及び一対の短側壁１３ｄの先端面１３ｅ上に蓋本体部１６ａの下面１６ｅが載置されると、ケース本体１３の開口部１３ａへの蓋インロー部１６ｂの嵌合が完了したとして、蓋嵌合工程が完了する。蓋嵌合工程の完了によって、ケース本体１３の開口部１３ａが蓋１４によって閉塞される。蓋１４によってケース本体１３の開口部１３ａが閉塞された状態では、図３に示すように、蓋インロー部１６ｂの外周面１６ｄがケース本体１３の一対の長側壁１３ｃの内面及び一対の短側壁１３ｄの内面と対向する。
【００５２】
溶接工程では、ケース本体１３における開口部１３ａの周縁部と蓋１４の周縁部とを溶接することにより、蓋１４をケース本体１３に組み付ける。溶接工程が完了すると、蓋１４の注液孔１４ｈからケース１１内に電解液を注液し、その後に注液孔１４ｈを封止部材１４ｇによって封止する。
【００５３】
次に、本実施形態での作用について説明する。
蓋嵌合工程においてケース本体１３の開口部１３ａを蓋１４で閉塞する際には、ケース本体１３の一対の長側壁１３ｃ及び一対の短側壁１３ｄに蓋１４が摺動するおそれがある。こうした摺動のおそれのある蓋１４の部分は、蓋１４の下面１４ａ、蓋インロー部１６ｂの外周面１６ｄ、蓋１４の下面１４ａと蓋インロー部１６ｂの外周面１６ｄとで形成された蓋インロー部１６ｂの角部、蓋本体部１６ａの下面１６ｅ等である。ケース本体１３と蓋１４との摺動は、ケース本体１３の開口部１３ａの全周で生じうる。そして、ケース本体１３と蓋１４との摺動に伴ってケース本体１３や蓋１４が削れて異物が生じうる。
【００５４】
本実施形態では、絶縁カバー３０の外周全体に位置する対向縁部が、ケース本体１３の一対の長側壁１３ｃ及び一対の短側壁１３ｄに当接している。そのため、ケース本体１３の開口部１３ａの全周のうち、どの箇所でケース本体１３と蓋１４との摺動が生じても、ケース本体１３や蓋１４が削れて生じた異物を絶縁カバー３０によって受け止めることができる。絶縁カバー３０は、立設方向において蓋１４と電極組立体１２との間に位置している。すなわち、蓋１４によってケース本体１３の開口部１３ａが閉塞される前では、立設方向においてケース本体１３の開口部１３ａと電極組立体１２との間に絶縁カバー３０が位置している。そのため、絶縁カバー３０によって異物を受け止めることによって、異物が電極組立体１２にまで達することが抑制される。
【００５５】
また、絶縁カバー３０によって受け止められた異物は、絶縁カバー３０の上面を移動して、絶縁カバー３０の非対向縁部にまで達するおそれがある。本実施形態では、絶縁カバー３０の非対向縁部に沿って非対向リブが位置している。仮に絶縁カバー３０の非対向縁部に異物が達しても、非対向リブによって異物の移動が阻まれる。そのため、絶縁カバー３０の非対向縁部からの異物の落下を規制できる。本実施形態では、絶縁カバー３０の非対向リブが落下規制部として機能する。
【００５６】
本実施形態では以下の作用及び効果を得ることができる。
（１）絶縁カバー３０の外周全体における対向縁部が、ケース本体１３の一対の長側壁１３ｃ及び一対の短側壁１３ｄと当接している。そのため、ケース本体１３と蓋１４との摺動に伴って生じた異物を絶縁カバー３０によって受け止めることができる。したがって、ケース本体１３の開口部１３ａを蓋１４で閉塞する際に、ケース本体１３と蓋１４との摺動によって生じた異物が発電要素に接触することを抑制できる。
【００５７】
（２）絶縁カバー３０の非対向リブによって絶縁カバー３０の非対向縁部からの異物の落下を規制できる。したがって、異物が発電要素に接触することをさらに抑制できる。
（３）ケース本体１３と蓋１４との摺動によって生じる異物と同様に、ケース本体１３の開口部１３ａの周縁部と蓋１４の周縁部との溶接を行う際に生じるダストも、ケース本体１３の開口部１３ａからケース本体１３内に入るおそれがある。本実施形態の絶縁カバー３０によれば、上記の溶接に伴って生じるダストも受け止めることができるため、ダストが発電要素に接触することも抑制できる。
【００５８】
なお、上記実施形態は、以下のように変更して実施することができる。上記実施形態及び以下の変更例は、技術的に矛盾しない範囲で互いに組み合わせて実施することができる。
【００５９】
○  図８に示すように、二次電池１０の製造工程にて、挿入工程の前工程としてケース本体加熱工程を加え、挿入工程の後工程として冷却工程を加えてもよい。この場合では、まずケース本体加熱工程にて電極組立体１２が挿入されない状態のケース本体１３が加熱される。これにより、ケース本体１３が膨張してケース本体１３の内部空間Ｓが大きくなり、立設方向からの平面視にてケース本体１３の内形形状が大きくなる。なお、加熱前のケース本体１３において、本来の内部空間Ｓを基準空間Ｓ１とし、立設方向からの平面視でのケース本体１３の本来の内形形状を基準内形形状とする。加熱後のケース本体１３のケース本体１３において、内部空間Ｓを膨張空間Ｓ２とし、立設方向からの平面視でのケース本体１３の内形形状を膨張内形形状とする。立設方向からのケース本体１３の平面視において、膨張内形形状は、基準内形形状より大きく、且つ絶縁カバー３０より大きい。図５に示す上記実施形態の絶縁カバー３０と、ケース本体１３内に挿入されていない状態では、立設方向からの平面視でケース本体１３の基準内形形状より絶縁カバー３０が大きい。
【００６０】
図９に示すように、つづいて挿入工程では、加熱後のケース本体１３を用いることにより、基準空間Ｓ１よりも大きい膨張空間Ｓ２を有するケース本体１３内に電極組立体１２及び絶縁カバー３０が挿入される。なお、図９に示すように、挿入工程において絶縁カバー３０がケース本体１３内に挿入されていない状態では、立設方向に直交する方向において、ケース本体１３の開口部１３ａが絶縁カバー３０よりも大きくなっている。立設方向からのケース本体１３の平面視において、ケース本体１３の内形形状が絶縁カバー３０よりも大きい膨張内形形状となっている。挿入工程にてケース本体１３の開口部１３ａから絶縁カバー３０が挿入されたときには、絶縁カバー３０の対向縁部とケース本体１３の一対の長側壁１３ｃ及び一対の短側壁１３ｄとは当接しない。絶縁カバー３０の全体がケース本体１３内に挿入されると挿入工程が完了する。なお、蓋インロー部１６ｂをケース本体１３の開口部１３ａから立設方向にて離間させた位置にて蓋１４の位置を保持した状態で、次の冷却工程を行う。
【００６１】
冷却工程では、ケース本体１３の冷却を行う。この冷却は、冷却装置によって強制的にケース本体１３を冷却することで行ってもよいし、ケース本体１３の膨張が収まる十分な時間だけケース本体１３を放置することで行ってもよい。ケース本体１３が冷却されると、ケース本体１３の内部空間Ｓが小さくなる。これにより、立設方向からの平面視において、ケース本体１３の内形形状が小さくなる。
【００６２】
図１０に示すように、冷却工程が完了すると、ケース本体１３の内部空間Ｓは、加熱前のケース本体の内部空間Ｓである基準空間Ｓ１の大きさとなる。立設方向からの平面視で、ケース本体１３の内形形状が基準内形形状と同じ大きさになる。そのため、ケース本体１３内の絶縁カバー３０の対向縁部とケース本体１３の一対の長側壁１３ｃ及び一対の短側壁１３ｄとが当接するようになる。また、ケース本体１３の冷却が進むにつれて、立設方向からの平面視でのケース本体１３の内形形状の大きさが絶縁カバー３０の大きさより小さくなると、絶縁カバー３０が立設方向に撓んだ状態となる。なお本形態の絶縁カバー３０は、図３及び図４に示した実施形態と同様に、立設方向に直交する方向における絶縁カバー３０の中央部が中央部周りよりも蓋１４から離間するように撓むか、実施形態と反対向きであって、絶縁カバー３０の中央部が中央部周りよりも蓋１４に近接するように撓む。
【００６３】
冷却工程の完了後に、上記実施形態と同様に蓋嵌合工程を行う。ケース本体１３内にて絶縁カバー３０の対向縁部をケース本体１３の一対の長側壁１３ｃ及び一対の短側壁１３ｄと当接させた状態で、蓋嵌合工程を行うことができる。したがって、この場合でも上記実施形態と同様に、ケース本体１３と蓋１４との摺動に伴って生じた異物を絶縁カバー３０によって受け止めることができ、ケース本体１３と蓋１４との摺動によって生じた異物が発電要素に接触することを抑制できる。
【００６４】
○  絶縁カバー３０の非対向リブの一部又は全てを、立設方向にて蓋１４の下面１４ａに当接させてもよい。この場合では、絶縁カバー３０の非対向リブと蓋１４の下面１４ａとの間に立設方向における間隙がなくなるため、絶縁カバー３０の非対向リブによって絶縁カバー３０の非対向縁部からの異物の落下をより確実に規制できる。
【００６５】
○  絶縁カバー３０の非対向リブは、絶縁カバー３０の上面から立設方向に延びる第１部位と、第１部位の先端から屈曲して絶縁カバー３０の上部で延びる第２部位と、を有するものであってもよい。この場合では、絶縁カバー３０の非対向リブによって絶縁カバー３０の非対向縁部からの異物の落下をより確実に規制できる。
【００６６】
○  絶縁カバー３０からの非対向リブの延設方向は、非対向リブの先端が基端よりも立設方向の蓋１４側に近づく方向であればよく、立設方向に限らない。例えば、非対向リブと絶縁カバー３０の上面とで形成される角度が鋭角となるように非対向リブを傾斜させて延設させてもよい。この場合の非対向リブによっては、絶縁カバー３０の非対向縁部からの異物の落下をさらに抑制できる。
【００６７】
○  絶縁カバー３０の非対向縁部の一部にのみ非対向リブを設けてもよい。
○  絶縁カバー３０の非対向縁部への非対向リブの形成にかえて、もしくは非対向リブの形成に加えて、絶縁カバー３０の上面において非対向縁部に沿って絶縁カバー３０の上面から凹む溝を絶縁カバー３０に設けてもよい。この場合では、絶縁カバー３０の上面において対向縁部と非対向縁部との間に溝が位置するようになり、溝が絶縁カバー３０の非対向縁部からの異物の落下を規制する落下規制部として機能するようになる。
【００６８】
○  絶縁カバー３０の形状の変更や、二次電池１０の構成の変更に応じて、絶縁カバー３０での注液用孔部３１ｈ、圧力開放弁用孔部３１ｖ、及びガス孔部３９ｈの一部または全ての形成を省略してもよい。
【００６９】
○  絶縁カバー３０を１つの部材で構成してもよいし、３つ以上の部材で構成してもよい。この場合でも、立設方向に直交する方向における絶縁カバーの外周全体にケース本体１３に対向する対向縁部を備え、この対向縁部をケース本体１３と当接させるようにすれば、上記実施形態と同様の効果を得ることができる。
【００７０】
○  絶縁カバー３０は、絶縁部材であれば樹脂部品以外の材質でもよい。例えばフッ素樹脂コーティングを施した金属でもよいし、アルミナなどの絶縁性セラミックス製であってもよい。また、フッ素ゴムなどの絶縁性を持つゴムでもよい。
【００７１】
○  蓋１４が蓋インロー部１６ｂを備えず、蓋１４の全体形状が平板状であってもよい。この場合においても上記実施形態と同様に、ケース本体１３の開口部１３ａを蓋１４によって閉塞する際に、ケース本体１３と蓋１４との摺動によって異物が生じるおそれがある。したがって、この場合においても上記実施形態と同様の絶縁カバー３０を採用することにより、上記実施形態と同様の効果を得ることができる。
【００７２】
○  正極電極２０は、正極金属箔２３の片面に正極活物質層２４が存在する構造でもよい。負極電極２１は、負極金属箔２６の片面に負極活物質層２７が存在する構造でもよい。
【００７３】
○  電極組立体１２の構成は、正極電極及び負極電極の一方又は双方が袋状セパレータによって収納された収納電極が積層された構成としてもよい。
○  電極組立体１２は、長尺帯状の正極電極と、長尺帯状の負極電極とを、長尺帯状のセパレータを介して捲回した捲回型であってもよい。
【００７４】
○  二次電池１０は、円筒型等、角型以外の形状の電池であってもよい。
○  二次電池１０は、リチウムイオン電池であったが、これに限らず、他の二次電池であってもよい。
【００７５】
○  蓄電装置は、二次電池でなく、電気二重層キャパシタ等の他の蓄電装置に適用してもよい。
【符号の説明】
【００７６】
１０…二次電池、１１…ケース、１２…電極組立体、１３…ケース本体、１３ａ…開口部、１３ｂ…底壁、１３ｃ…長側壁、１３ｄ…短側壁、１４…蓋、１６ａ…蓋本体部、１６ｂ…蓋インロー部、３０…絶縁カバー、３０ａ…第１絶縁カバー、３０ｂ…第２絶縁カバー、３５…第１リブ、４１…負極側第２リブ、４７…正極側第２リブ、５５，５６…リブ。
【図１】
2020177844.tif 000003
【図２】
2020177844.tif 000004
【図３】
2020177844.tif 000005
【図４】
2020177844.tif 000006
【図５】
2020177844.tif 000007
【図６】
2020177844.tif 000008
【図７】
2020177844.tif 000009
【図８】
2020177844.tif 000010
【図９】
2020177844.tif 000011
【図１０】
2020177844.tif 000012